(57)【要約】      （修正有）【課題】簡単な構造で、装置の小型化、軽量化を図り、極めて安価な製造を可能とし、また、自動開閉蓋に吸気口と排気口を設けて、油煙や臭気、水蒸気等を排気口より排気して、手前側に向かって排気したり、周囲に拡散したりせず、油跳ねも外部へと飛び出したりせず、作業者や周囲の環境を害さない調理を行える自動開閉蓋付きフライヤーを提供する。【解決手段】自動開閉蓋付きフライヤー１を次のように構成する。第１に、リフトアームより奥方のフライヤー本体９に回動支点を設け、そこに油槽上面を覆う自動開閉蓋８を回動自在に装着する。第２に、回動支点より手前側の自動開閉蓋８の下方よりリフトアームを当接させて昇降させ、自動開閉蓋８を開閉する。第３に、自動開閉蓋８は、手前側に吸気口８０を、リフトアーム側に吸気口８０より大きくリフトアームの横幅より狭い排気口８１を設け、両者間の自動開閉蓋８下面を吸排気経路とする。【選択図】図４
2020078423.tif 000002
【特許請求の範囲】
【請求項１】
昇降ロッド上部に設けたリフトアームに係止させてフライカゴを自動昇降させることができるオートリフト装置を有するフライヤーの、リフトアームの昇降位置より奥方のフライヤー本体に回動支点を設け、該回動支点に油槽上面を覆う自動開閉蓋を回動自在に装着し、
前記回動支点より手前側の自動開閉蓋の下方より前記リフトアームを当接させて昇降させることにより、前記自動開閉蓋を開閉する自動開閉蓋付きフライヤーであって、
該自動開閉蓋は、手前側に吸気口を設け、奥方のリフトアーム側に該吸気口より大きくリフトアームの横幅より狭い横幅の排気口を設け、両者の間の自動開閉蓋下面側を吸排気経路としたことを特徴とする自動開閉蓋付きフライヤー。
【請求項２】
上記吸排気経路は、上記吸気口より排気口に向かって、上記自動開閉蓋下面に上方へ向かう傾斜面を設けたものであることを特徴とする請求項１に記載の自動開閉蓋付きフライヤー。
【請求項３】
上記自動開閉蓋は、着脱式蝶番により、上記リフトアームより奥方のフライヤー本体の回動支点に取り付けられていることを特徴とする請求項１または２に記載の自動開閉蓋付きフライヤー。
【請求項４】
上記排気口の奥方の位置より上方に冷却風を送る排気筒を上記フライヤー本体の奥方に設け、該フライヤー本体内に冷却ファンを配置し、該ファンの作動により前記排気筒から吹き出される冷却風により、前記排気口からの排気を上方へと誘導することを特徴とする請求項１乃至３の何れかに記載の自動開閉蓋付きフライヤー。
【請求項５】
上記リフトアームは、上記排気口の開口部より横長に形成され、該開口部下方位置の中央部はフライカゴの係止領域とされ、上記排気口両側の自動開閉蓋下面位置の左右側方部は上記自動開閉蓋に対する押上領域とされ、
該押上領域が当接する自動開閉蓋下面位置には、開閉誘導路として、手前側の下平面と、奥方の上平面と、下平面から上平面に向かって上昇する傾斜面とが形成され、
前記リフトアームの昇降により前記押上領域が前記開閉誘導路に沿って位置を変えながら前記自動開閉蓋の開閉を行うことを特徴とする請求項１乃至４に記載の自動開閉蓋付きフライヤー。
【発明の詳細な説明】
【技術分野】
【０００１】
本発明は、自動開閉蓋付きフライヤーに関するものである。詳しくは、フライカゴが係止されるリフトアームの昇降位置より奥方のフライヤー本体に回動支点を設け、回動支点に自動開閉蓋を装着し、回動支点より手前側で、リフトアームを下方より当接させ、リフトアームの昇降により開閉するという簡単な構造で、フライカゴの昇降と自動開閉蓋の開閉とを同期させると共に、自動開閉蓋の下面の吸気口と排気口間に吸排気経路を設け、フライ調理中に発生する油煙や水蒸気を排気口より集中的に後方に排気することのできる自動開閉蓋付きフライヤーである。
【背景技術】
【０００２】
従来より、特許文献１に示されるように、蓋をフライカゴの昇降にともない自動的に開閉させると共に、調理後の食品がより美味しくなることを目指して蓋の開閉のタイミングや開き具合を調整できるフライヤー装置が提案されている。しかし、該装置における自動開閉蓋の開閉する手段（特許文献１では蓋開度調節手段）は、複数部材が必要であり、且つ、その構造も複雑であり、装置全体が大型化、重量化すると共に、故障の際には修理の大変なものであった。更に、蓋は蝶番を介して常にフライカゴに装着されているものであるので、フライカゴの取り外し作業が面倒なものとなっていた。
【０００３】
また、フライカゴ自体に蝶番で蓋を取り付け、フライカゴの昇降動作に合わせて蓋が開閉するが、蓋が閉じても発生する油煙等は排気の方向性が定まらず、フライカゴ周囲に拡散してしまうものであった。即ち、フライ調理において食材を油に浸漬した際、油槽内より多量の油煙や臭気、水蒸気が発生し、それらは本体の前方も含めた周囲に拡散してしまう。
【０００４】
近年、フライヤーは、スーパーやコンビニ、総菜店など客の前で、販売員の直接の調理により、利用されることが多くなってきている。フライヤー本体上方にはフードが設置されているが、食材の量によっては油煙や臭気を効率よく回収することができず、厨房室内や店内に拡散したり、調理を行う販売員や買い物客の衣服や髪に付着したりしてしまうこともあり、販売員や買い物客が不快を感じでいるという現状があり、近年、コンビニ、スーパー、総菜店等において調理メニューの拡充拡販を増強している中、当該問題を解決してほしいという強い要望が散見している。
【先行技術文献】
【特許文献】
【０００５】
【特許文献１】特許第５８８１１０３号特許公報
【発明の概要】
【発明が解決しようとする課題】
【０００６】
そこで、本発明は、第１に、フライヤーの自動開閉蓋を、フライカゴに直接装着するのではなく、フライカゴが係止されるリフトアームの昇降位置より奥方のフライヤー本体に回動支点を設けて該回動支点に装着することにより、フライカゴの取り出しを面倒とすることをなくし、該回動支点より手前側の自動開閉蓋の下方よりリフトアームを当接させて昇降させることにより該自動開閉蓋を開閉するという簡単な構造とすることにより、装置の小型化、軽量化を図れると共に極めて安価に製造も可能な自動開閉蓋付きフライヤーを提供することを目的とする。
第２に、自動開閉蓋に吸気口及び排気口を設け、その間の自動開閉蓋の下面を吸排気経路とすることにより、調理中に油槽から発生する油煙や臭気、水蒸気等が油槽後方の排気口より方向性を持って排気されて、それらが周囲に拡散したり、フライヤー手前側で調理する販売員等に向かって排気されず、また、調理中に発生する油跳ねも調理をする販売員等に向かって飛び出さず、作業者や周囲の環境を害することなく調理を行える自動開閉蓋付きフライヤーを提供することを目的とする。
【課題を解決するための手段】
【０００７】
上記課題を解決するために、第１の発明は自動開閉蓋付きフライヤーを次のように構成する。
第１に、昇降ロッド上部に設けたリフトアームに係止させてフライカゴを自動昇降させることができるオートリフト装置を有するフライヤーの、リフトアームの昇降位置より奥方のフライヤー本体に回動支点を設け、該回動支点に油槽上面を覆う自動開閉蓋を回動自在に装着する。
第２に、前記回動支点より手前側の自動開閉蓋の下方より前記リフトアームを当接させて昇降させることにより、前記自動開閉蓋を開閉する。
第３に、該自動開閉蓋は、手前側に吸気口を設け、奥方のリフトアーム側に該吸気口より大きくリフトアームの横幅より狭い横幅の排気口を設け、両者の間の自動開閉蓋下面側を吸排気経路とする。
【０００８】
第２の発明は、第１の発明における吸排気経路は、吸気口より排気口に向かって、自動開閉蓋下面に上方へ向かう傾斜面を設けたものであることを付加した自動開閉蓋付きフライヤーとする。
【０００９】
第３の発明は、第１又は第２の発明において、自動開閉蓋は、着脱式蝶番により、リフトアームより奥方のフライヤー本体の回動支点に取り付けられていることを付加した自動開閉蓋付きフライヤーとする。
【００１０】
第４の発明は、第１乃至第３の何れか１つの発明において、排気口の奥方の位置より上方に冷却風を送る排気筒をフライヤー本体の奥方に設け、フライヤー本体内に冷却ファンを配置し、該ファンの作動により排気筒から吹き出される冷却風により、排気口からの排気を上方へと誘導することを付加した自動開閉蓋付きフライヤーとする。
【００１１】
第５の発明は、第１乃至第４の何れか１つの発明において、次の構成が付加される自動開閉蓋付きフライヤーとする。
第１に、リフトアームは、排気口の開口部より横長に形成され、該開口部下方位置の中央部はフライカゴの係止領域とされ、排気口両側の自動開閉蓋下面位置の左右側方部は上記自動開閉蓋に対する押上領域とされる。
第２に、該押上領域が当接する自動開閉蓋下面位置には、開閉誘導路として、手前側の下平面と、奥方の上平面と、下平面から上平面に向かって上昇する傾斜面とが形成される。
第３に、リフトアームの昇降により押上領域が開閉誘導路に沿って位置を変えながら前記自動開閉蓋の開閉を行う。
【発明の効果】
【００１２】
第１の発明は、次の効果を有する。
第１に、自動開閉蓋をフライカゴに取り付けるのではなく、フライヤーのリフトアームの昇降位置より奥方の本体に回動支点を設け、自動開閉蓋を回動自在に装着してあるので、自動開閉蓋が開いた後、フライカゴを取り出す際に、フライカゴのみを単独で取り出すことができ、自動開閉蓋を一緒に取り出したり、自動開閉蓋をフライカゴより外してから取り出すといった不自由さをなくすことができた。
第２に、自動開閉蓋は、回動支点より手前側の自動開閉蓋の下方よりリフトアームを当接させて昇降させて、自動開閉させられるので、極めて簡単な構造によりフライカゴの昇降に同期して自動開閉する上、極めて安価に製造も可能で、且つ、装置の小型化や軽量化が可能な自動開閉蓋付きフライヤーを提供することができた。
第３に、自動開閉蓋は、吸気口とそれより大きい排気口を設け、両者の間の自動開閉蓋下面側を吸排気経路としたので、調理中に油槽から発生する油煙や臭気、水蒸気、熱気が油槽後方に排気されて周囲に拡散することなく、また、調理中に発生する油跳ねもなく、作業者や周囲の環境を害することなく調理を行える自動開閉蓋付きフライヤーを提供することができた。
第４に、上記吸排気経路を介して排気口より調理中の水蒸気を効率的に排気できるため、調理品の仕上がりに「カラット感」のある、美味しい揚げ物を提供することができた。
【００１３】
第２の発明は、次の効果を有する。
第１に、吸排気経路は、吸気口より排気口に向かって、自動開閉蓋下面に上方へ向かう傾斜面を設けたものであるので、吸気口から排気口へのより強い空気の流れが生まれ、調理中の油槽から発生する油煙や水蒸気、熱気を後方部より集中排気させることのできる自動開閉蓋付きフライヤーを提供することができた。
第２に、吸排気経路は、吸気口より排気口に向かって、自動開閉蓋下面に上方へ向かう傾斜面を設けたものであるので、リフトアームが上昇してフライカゴが取り出し位置にあるときに、自動開閉蓋の上方へ向かう傾斜面の内側には空間が形成され、蓋を傾かせたりする行為なしで、フライカゴを容易に外部へ取り出せるものとなった。
【００１４】
第３の発明の効果ではあるが、自動開閉蓋は、着脱式蝶番により、リフトアームより奥方のフライヤー本体の回動支点に取り付けられているので、自動開閉蓋のスイングが安定し、且つ、容易に取り外し可能なものとなった。これにより、自動開閉蓋の清掃を行うことも簡単になった。
【００１５】
第４の発明の効果ではあるが、排気口の奥方の位置より上方に冷却風を送る排気筒をフライヤー本体の奥方に設け、フライヤー本体内に冷却ファンを配置し、該ファンの作動により排気筒から吹き出される冷却風により、排気口からの排気を上方へと誘導するものなので、調理中の油煙や水蒸気、熱気、臭気が冷却風の流れに合流して、更に効率的に排気されるものとなった。
【００１６】
第５の発明の効果ではあるが、リフトアームは、排気口両側の自動開閉蓋下面位置の左右側方部が押上領域とされ、該押上領域が当接する自動開閉蓋下面位置には、傾斜面を有する開閉誘導路が形成されており、リフトアームの昇降により押上領域が開閉誘導路に沿って当接位置を変えながら自動開閉蓋の開閉を行うものなので、リフトアームに係止されるフライカゴの昇降に同期して、自動開閉蓋を所望の高さ位置に開いたり、油槽の上面位置に閉じたりする設計が可能となった。
【図面の簡単な説明】
【００１７】
【図１】自動開閉蓋付きフライヤーの概略断面説明図
【図２】自動開閉蓋の斜視図
【図３】自動開閉蓋の中央断面図
【図４】吸排気状態を示す説明断面図
【図５】リフトアームを示す部分斜視図
【図６】自動開閉蓋の底面図
【図７】自動開閉蓋のＡ−Ａ線断面図
【図８】リフトアームと自動開閉蓋の当接状態を示す部分斜視図
【図９】自動開閉蓋の回動状態を示す部分断面説明図であり、（Ａ）は閉状態でのリフトアームと開閉誘導路との位置関係を示す説明図であり、（Ｂ）は閉より開に向かう途中の状態でのリフトアームと開閉誘導路との位置関係を示す説明図であり、（Ｃ）は開状態でのリフトアームと開閉誘導路との位置関係を示す説明図である。
【発明を実施するための形態】
【００１８】
以下、本発明を実施するための形態につき実施例と共に説明する。
図１は自動開閉蓋付きフライヤーの概略断面説明図である。本発明に係る自動開閉蓋付きフライヤー１は、フライヤー本体９に、上面が開口した油槽２を備えており、油槽２の奥方即ち後部側にはフライカゴ３を昇降させるオートリフト装置Ａを備えている。オートリフト装置Ａは、昇降ロッド４上部にリフトアーム５を形成し、該リフトアーム５にフライカゴ３を係止させ、昇降ロッド４の昇降により、フライカゴ３を自動昇降させるものである。尚、フライカゴ３は、手前側には把手６が形成され、奥方である後部側にはリフトアーム５に係止させるフック７が形成されたものである。従来より周知のフライカゴである。
【００１９】
油槽２上面のフライヤー本体９の開口部には、油槽２の上面を覆う自動開閉蓋８が装着されている。自動開閉蓋付きフライヤー１に取り付けられる自動開閉蓋８は、図１に示されるように、リフトアーム５の昇降位置より奥方のフライヤー本体９に設けられた回動支点１０に着脱式蝶番１１により回動自在に装着されている。尚、後に詳細に説明するが、自動開閉蓋８は、回動支点１０より手前側の自動開閉蓋８の下方即ち下面側にリフトアーム５を当接させて、リフトアーム５の昇降により開閉される。
【００２０】
着脱式蝶番１１は、リリースヒンジと称される蝶番を用いている。図２に示す符号１１Ａは、着脱式蝶番１１を外した状態の一方の部材を示すものである。着脱式蝶番１１は、一方の部材１１Ａの袖１２を片手で引っ込めることができ、自動開閉蓋８をフライヤー本体９の回動支点１０にあるもう一方の部材より簡単に着脱できるようになっている。着脱式蝶番１１はこれに限定されるものではなく、他の着脱式蝶番であっても良い。
【００２１】
自動開閉蓋８には、図２及び図３に示すように、手前側に吸気口８０が、奥方のリフトアーム５側に排気口８１が設けられ、両者の間の自動開閉蓋８下面側が吸排気経路８２とされている。吸排気経路８２は、吸気口８０より排気口８１に向かって、自動開閉蓋８下面に上方へ向かう傾斜面８３を備えている。尚、傾斜面８３が形成されることにより、傾斜面８３から奥方の自動開閉蓋８と油槽２との間に空間が生じることを防ぐため、閉鎖板部８８が形成されている。
【００２２】
排気口８１は、図２に示されるように、吸気口８０より大きい。更に排気口８１は、図８に示されるように、左右の昇降ロッド４，４の間の横幅より広いが、リフトアーム５の横幅より狭い横幅で設けられている。排気口８１を吸気口８０より大きくすることで、吸気口８０から排気口８１へと空気の強い流れが生まれる。手前側の吸気口８０は油槽の面積比５％程度、奥方の排気口８１は油槽の面積比２０％程度とすることが、効率よく排気能力が発揮され、吸気口８０から油煙や蒸気が漏れることがないことが調理試験にて検証された。
【００２３】
吸排気経路８２に傾斜面８３を備えることにより、図３及び図４に示すように、吸気口８０から排気口８１へと、空気の強い流れが生まれる。傾斜面８３は、排気口８１方向へと立ち上げた角度を２０度程度とすることで、調理中に発生する油煙や水蒸気を高温により発生する上昇気流により後方へ集中排気させて効率よく排気できるものとなる。
【００２４】
傾斜面８３を備えることにより、傾斜面８３の内側には空間が形成されるので、調理終了後に自動開閉蓋８を開けてフライカゴを取り出すときに、自動開閉蓋８を傾かせたりしないで、フライカゴ３を容易に外部へ取り出せるものとなった。また、傾斜面８３は、外観や美観、フライカゴ３の取り外しスペースの確保を考慮すると、油槽２奥行比の中心付近より排気口８１方向へと立ち上げたものとするのが最も理想的であった。
【００２５】
図４には、自動開閉蓋８を閉めてのフライ調理中の吸排気の流れが示されている。
フライヤー本体９の奥方には、排気口８１の奥方の位置より上方に冷却風を送る排気筒９０が設けられており、フライヤー本体９内に冷却ファンが配置されることにより、自動開閉蓋８の吸気口８０から排気口８１に向かう空気の強い流れによる油煙や水蒸気等の排気の流れは、冷却ファンの作動により排気筒９０から吹き出される冷却風により、排気口８１から上方へと誘導されるものである。
【００２６】
自動開閉蓋８は、オートリフト装置Ａのリフトアーム５の昇降により開閉する。リフトアーム５は、図５に示されるように、オートリフト装置Ａの左右の昇降ロッド４の上部で、通常のリフトアームより横に長く、左右の昇降ロッド４，４の間を超える横長に形成される。具体的には、図８に示すように、自動開閉蓋８の排気口８１の開口部より長い横長に形成されている。
【００２７】
リフトアーム５は、昇降ロッド４，４間に相当する中央部がフライカゴの係止領域５０とされ、該係止領域５０の左右側方部が自動開閉蓋８に対する押上領域５１とされる。尚、係止領域５０は、自動開閉蓋８の排気口８１である開口部下方位置にあたり、押上領域５１は、排気口８１両側の自動開閉蓋８下面位置である次に説明する開閉誘導路８４の下方位置にあたる。
【００２８】
図８に示すリフトアーム５の左右の押上領域５１，５１が当接する自動開閉蓋８下面位置には、開閉誘導路８４が形成されている。開閉誘導路８４は、図８には示されていないが、図６及び図７に示されるように、手前側の下平面８５と、奥方の上平面８６と、下平面８５から上平面８６に向かって上昇する傾斜面８７とが形成されている。尚、自動開閉蓋８には、傾斜面８７が形成されることにより、傾斜面８７から奥方の上平面８６と油槽２との間に空間が生じることを防ぐため、閉鎖板部８８が形成されている。
【００２９】
リフトアーム５の昇降により押上領域５１が開閉誘導路８４に沿って当接位置を変えながら自動開閉蓋８の開閉を行う。開閉誘導路８４は、自動開閉蓋８の開閉角度調整の役割を持ち、リフトアーム５に係止されるフライカゴ３の昇降に同期して、自動開閉蓋８を所望の高さ位置に開いたり、油槽２の上面位置を閉じたりする設計が可能となった。
【００３０】
以下、図９に従って、自動開閉蓋８の開閉と、リフトアーム５と開閉誘導路８４との位置関係に付いて説明する。
図９（Ａ）に示すように、自動開閉蓋８が油槽２を覆って閉じているときには、フライカゴ３は最下端にあり、リフトアーム５の押上領域５１は、自動開閉蓋８の上平面８６の位置にある。フライカゴ３を上昇させるため、リフトアーム５が上昇し、自動開閉蓋８が閉じた状態から開く方向に向かう場合は、図９（Ｂ）に示すように、リフトアーム５が上昇するに従い、リフトアーム５の押上領域５１が、自動開閉蓋８の回動にともない上平面８６から傾斜面８７へと位置を変化させる。フライカゴ３の取り出しができる位置まで自動開閉蓋８が開くようリフトアーム５が更に上昇すると、リフトアーム５の押上領域５１は、傾斜面８７を移動し、図９（Ｃ）に示すように、リフトアーム５の押上領域５１は、下平面８５に至る傾斜面８７に位置する。
【００３１】
自動開閉蓋８が閉まる場合には、リフトアーム５が下降するに従い、自動開閉蓋８の回動にともない、リフトアーム５の押上領域５１が位置を傾斜面８７から上平面８６へと変化させ、上平面８６に位置することにより自動開閉蓋８が油槽２の上面位置を覆って閉じた状態となる。
【符号の説明】
【００３２】
１・・・・・・・自動開閉蓋付きフライヤー
２・・・・・・・油槽
３・・・・・・・フライカゴ
４・・・・・・・昇降ロッド
５・・・・・・・リフトアーム
５０・・・・・・係止領域
５１・・・・・・押上領域
６・・・・・・・把手
７・・・・・・・フック
８・・・・・・・自動開閉蓋
８０・・・・・・吸気口
８１・・・・・・排気口
８２・・・・・・吸排気経路
８３・・・・・・傾斜面
８４・・・・・・開閉誘導路
８５・・・・・・下平面
８６・・・・・・上平面
８７・・・・・・傾斜面
８８・・・・・・閉鎖板部
９・・・・・・・フライヤー本体
９０・・・・・・排気筒
１０・・・・・・回動支点
１１・・・・・・着脱式蝶番
１１Ａ・・・・・一方の部材
１２・・・・・・袖
Ａ・・・・・・・オートリフト装置
【図１】
2020078423.tif 000003
【図２】
2020078423.tif 000004
【図３】
2020078423.tif 000005
【図４】
2020078423.tif 000006
【図５】
2020078423.tif 000007
【図６】
2020078423.tif 000008
【図７】
2020078423.tif 000009
【図８】
2020078423.tif 000010
【図９】
2020078423.tif 000011